(57)【要約】      （修正有）【課題】人の髪をカールさせるために使用されるハンドヘルドのヘアスタイリングデバイスの提供。【解決手段】デバイス１０１は、本体１０３と、本体から延びるハンドル１０５と、を有する。本体１０３は、そこに固定される、１以上のヘアスタイリング部材１０７を有する。ハンドル１０５は、人がその人の頭又は別の人の頭の髪に対して本体１０３及びヘアスタイリング部材１０７を動かすことができるように、大きさ及び形状が人の手に適合して形成される。本体１０３に設けられるヘアスタイリング部材１３５を移動させることができる。例えば、移動可能なヘアスタイリング部材１３５は、好ましくは、本体１０３に対して回転可能である。【選択図】図１
2018202141.tif 000002
【特許請求の範囲】
【請求項１】
広い面を、前記広い面の対辺上にある一対の狭い面の間に有し、前記広い面は、前記狭い面よりも広い幅を有する本体と、
前記本体に対して回転軸周りに回転するために、前記本体の前記狭い面の間に設けられ、前記本体から概ね離れる方向に向かって露出した表面を有し、前記回転軸は、前記本体の縦軸に概ね直交して延びる、回転可能な基部と、
前記回転可能な基部と共に、前記本体に対して回転するために、前記回転可能な基部の前記露出した表面に設けられ、前記本体から概ね離れて延びる、複数のヘアスタイリング部材と、を備える、ハンドヘルドのスタイリングデバイス。
【請求項２】
前記本体に対して、前記回転可能な基部の回転を駆動するために、選択的に駆動可能な駆動システムをさらに備える、請求項１に記載のハンドヘルドのスタイリングデバイス。
【請求項３】
前記選択的に駆動可能な駆動システムは、前記選択的に駆動可能な駆動システムが駆動していないとき、前記本体に対して固定された位置で、前記回転可能な基部を保持するように構成される、請求項２に記載のハンドヘルドのスタイリングデバイス。
【請求項４】
前記選択的に駆動可能な駆動システムは、一組の歯車と、使用者が手動で操作することによって前記回転可能な基部の回転を駆動するように、前記歯車に接続される手動のアクチュエータと、を含む、請求項２に記載のハンドヘルドのスタイリングデバイス。
【請求項５】
前記回転可能な基部に設けけられた、少なくともいくつかの前記ヘアスタイリング部材は、パドル形状を有する、請求項１に記載のハンドヘルドのスタイリングデバイス。
【請求項６】
パドル形状を有する、少なくともいくつかの前記ヘアスタイリング部材は、前記ヘアスタイリング部材の側面に形成される凹部を有する、請求項５に記載のハンドヘルドのスタイリングデバイス。
【請求項７】
前記回転可能な基部に設けられたそれぞれの前記ヘアスタイリング部材は、それぞれの他の前記ヘアスタイリング部材と間隔が空けられる、請求項１に記載のハンドヘルドのスタイリングデバイス。
【請求項８】
全ての前記ヘアスタイリング部材は、前記回転可能な基部に設けられる、請求項１に記載のハンドヘルドのスタイリングデバイス。
【請求項９】
前記ヘアスタイリング部材は、互いに略平行である、請求項１に記載のハンドヘルドのスタイリングデバイス。
【請求項１０】
前記本体の前記広い面は、概ね平坦である、請求項１に記載のハンドヘルドのスタイリングデバイス。
【請求項１１】
前記本体の前記広い面は、少なくとも約２インチの幅を有する、請求項１に記載のハンドヘルドのスタイリングデバイス。
【請求項１２】
前記本体は、少なくとも約４インチの長さを有する、請求項１に記載のハンドヘルドのスタイリングデバイス。
【請求項１３】
前記回転可能な基部は、少なくとも約０．７５インチの直径を有する、請求項１に記載のハンドヘルドのスタイリングデバイス。
【請求項１４】
人の髪をスタイリングする方法であって、
回転可能な基部を有する本体の保持を含み、前記回転可能な基部は、前記本体に対して回転するために前記本体に設けられ、そこに設けられる複数のヘアスタイリング部材を有し、前記本体は、広い面を、前記広い面の対辺上にある一対の狭い面の間に有し、前記回転可能な基部は、前記広い面に設けられ、
前記ヘアスタイリング部材を人の髪の中に置くための前記本体の移動を含み、
前記本体に対して回転軸周りに前記回転可能な基部の回転を駆動するために、操作可能に前記回転可能な基部に接続される、選択的に駆動可能な駆動システムの駆動を含み、それによって、少なくともいくつかの前記ヘアスタイリング部材が人の髪に接触する間、前記回転可能な基部及びその上の前記ヘアスタイリング部材を回転させ、前記回転可能な基部の回転軸は、前記本体の縦軸に概ね直交して延びる、方法。
【請求項１５】
前記選択的に駆動可能な駆動システムの駆動は、第１の位置から第２の位置への前記駆動システムのアクチュエータの移動を含む、請求項１４に記載の方法。
【請求項１６】
前記アクチュエータが前記第２の位置にある間、人の髪の接触からの前記スタイリング部材の取り外しをさらに含む、請求項１５に記載の方法。
【請求項１７】
一旦、前記アクチュエータを離すと、前記アクチュエータが自動的に前記第２の位置から前記第１の位置に戻るように、前記第１の位置への前記駆動システムの付勢をさらに含む、請求項１６に記載の方法。
【請求項１８】
広い面を、前記広い面の対辺上にある一対の狭い面の間に有し、前記広い面は、前記狭い面よりも広い幅を有する本体と、
前記本体に対して回転軸周りに回転するために、前記本体の前記狭い面の間に設けられ、前記本体から概ね離れる方向に向かって露出した表面を有し、前記回転軸は、前記本体の縦軸に概ね直交して延びる、回転可能な基部と、
前記回転可能な基部と共に、前記本体に対して回転するために、前記回転可能な基部の前記露出した表面に設けられ、前記本体から概ね離れて延び、前記回転可能な基部の前記回転軸から径方向外側に開く凹部を有する、少なくとも１つのヘアスタイリング部材と、を備える、ハンドヘルドのスタイリングデバイス。
【発明の詳細な説明】
【技術分野】
【０００１】
本発明は、概して、ヘアブラシ及びくし等のハンドヘルドのヘアスタイリングデバイス、より具体的には、人の髪をカールさせるために使用されるハンドヘルドのヘアスタイリングデバイスに関する。
【背景技術】
【０００２】
従来のハンドヘルドのヘアブラシは、本体と、本体から延びるハンドルと、を有する。毛や歯等の複数のヘアスタイリング部材が、ブラシの本体から離れて延びる。この従来のブラシを使うために、人は、ヘアスタイリング部材が人の頭の上の髪を通るように、ハンドルを手で持ち、ブラシを動かす。
【０００３】
くしはブラシと同様である。くし上のヘアスタイリング部材は、大抵、ブラシの上のヘアスタイリング部材よりも狭い配列（例えば、１列の歯や、密集した平行な列の歯）で配置される。しかしながら、くしとみなされるデバイスとブラシとみなされるデバイスとの間に明確な境界線は無い。くしもブラシも共に、ヘアスタイリング部材が人の頭の上の髪を通るように、本体から延びる複数のヘアスタイリング部材を支える本体を使用者が動かすことにより、操作する。
【０００４】
最も一般的なブラシとくしのスタイリング部材は、それらを支える本体に対して動かない。
【発明の概要】
【０００５】
本発明に係る一態様は、広い面を、広い面の対辺上にある一対の狭い面の間に有する本体を備える、ハンドヘルドのヘアスタイリングデバイスである。本体の広い面は、本体の狭い面よりも広い幅を有する。回転可能な基部は、本体に対して回転軸周りに回転するために、本体の狭い面の間に設けられる。回転可能な基部は、本体から概ね離れる方向に向かって露出した表面を有する。回転可能な基部の回転軸は、本体の縦軸に概ね直交して延びる。複数のヘアスタイリング部材は、回転可能な基部と共に、本体に対して回転するために、回転可能な基部の露出した表面に設けられる。複数のヘアスタイリング部材は、本体から概ね離れて延びる。
【０００６】
本発明に係る別の態様は、広い面を、広い面の対辺上にある一対の狭い面の間に有する本体を備える、ハンドヘルドのヘアスタイリングデバイスである。本体の広い面は、本体の狭い面よりも広い幅を有する。複数の回転可能な基部は、本体に対して回転軸周りに回転するために、本体の狭い面の間に設けられる。回転可能な基部は、それぞれ、本体から概ね離れる方向に向かって露出した表面を有する。複数のヘアスタイリング部材は、それぞれの回転可能な基部と共に、本体に対して回転するために、それぞれの回転可能な基部の露出した表面に設けられる。複数のヘアスタイリング部材は、本体から概ね離れて延びる。ハンドルは、本体から、少なくとも１つの回転可能な基部の回転軸と概ね直交する方向に延びる。
【０００７】
本発明に係るさらに別の態様は、広い面を、広い面の対辺上にある一対の狭い面の間に有する本体を備える、ハンドヘルドのヘアスタイリングデバイスである。本体の広い面は、本体の狭い面よりも広い幅を有する。複数の回転可能な基部は、本体に対して回転軸周りに回転するために、本体の狭い面の間に設けられる。回転可能な基部は、それぞれ、本体から概ね離れる方向に向かって露出した表面を有する。複数のヘアスタイリング部材は、それぞれの回転可能な基部と共に、本体に対して回転するために、それぞれの回転可能な基部の露出した表面に設けられる。複数のヘアスタイリング部材は、本体から概ね離れて延びる。回転可能な基部に設けられるそれぞれのヘアスタイリング部材は、それぞれの他のヘアスタイリング部材から間隔が空けられる。
【０００８】
本発明に係るさらに別の態様は、髪をスタイリングする方法である。当該方法は、回転可能な基部を有する本体の保持を含む。回転可能な基部は、本体に対して回転するために本体に設けられ、回転可能な基部に設けられる複数のヘアスタイリング部材を有する。本体は、広い面を、広い面の対辺上にある一対の狭い面の間に有する。回転可能な基部は、広い面に設けられる。当該方法は、ヘアスタイリング部材を人の髪の中に置くための本体の移動を含む。本体に対して回転軸周りに回転可能な基部の回転を駆動するために、操作可能に回転可能な基部に接続される、選択的に駆動可能な駆動システムを駆動し、それによって、少なくともいくつかのヘアスタイリング部材が人の髪に接触する間、回転可能な基部及びその上のヘアスタイリング部材を回転させる。回転可能な基部の回転軸は、本体の縦軸に概ね直交して延びる。
【０００９】
本発明に係るさらに別の態様は、髪をスタイリングする方法である。当該方法は、複数の回転可能な基部を有する本体に接続されるハンドルの保持を含む。それぞれの回転可能な基部は、本体に対して回転するために本体に設けられ、それぞれの回転可能な基部に設けられる複数のヘアスタイリング部材を有する。当該方法は、ヘアスタイリング部材を人の髪の中に置くための本体の移動を含む。操作可能に回転可能な基部に接続される、選択的に駆動可能な駆動システムは、本体に対して回転可能な基部を回転させるように駆動し、それによって、少なくともいくつかのヘアスタイリング部材が人の髪に接触する間、回転可能な基部及びその上のヘアスタイリング部材を回転させる。
【００１０】
さらに、本発明に係る態様において、ハンドヘルドのヘアスタイリングデバイスは、通常、広い面を、広い面の対辺上にある一対の狭い面の間に有し、広い面は、狭い面よりも広い幅を有する本体を備える。回転可能な基部は、本体に対して回転軸周りに回転するために、本体の狭い面の間に設けられる。回転可能な基部は、本体から概ね離れる方向に向かって露出した表面を有し、回転可能な基部の回転軸は、本体の縦軸に概ね直交して延びる。少なくとも１つのヘアスタイリング部材は、回転可能な基部と共に、本体に対して回転するために、回転可能な基部の露出した表面に設けられる。ヘアスタイリング部材は、本体から概ね離れて延び、回転可能な基部の回転軸から径方向外側に開く凹部を有する。
【００１１】
他の目的及び特徴は、一部は明白であり、一部は以下に示される。
【図面の簡単な説明】
【００１２】
【図１】本発明に係るヘアスタイリングデバイスの一実施形態の斜視図
【図２】異なる視点から見た、図１に示すヘアスタイリングデバイスの追加の斜視図
【図３】異なる視点から見た、図１に示すヘアスタイリングデバイスの追加の斜視図
【図４】図１〜３に示すヘアスタイリングデバイスの側面図
【図５】図１〜４に示すヘアスタイリングデバイスの平面図
【図６】図１〜５に示すヘアスタイリングデバイスの底面図
【図７】図１〜６に示すヘアスタイリングデバイスの分解斜視図
【図８】内部機構を示すためにデバイスの一部が取り外された、図１〜７に示すヘアスタイリングデバイスの斜視図
【図９】図８と同様であるが、追加の内部機構を示すためにデバイスの一部がさらに取り外された、図１〜８に示すヘアスタイリングデバイスの斜視図
【図１０】図１〜９に示すヘアスタイリングデバイスに用いるための、異なるスタイリング部材の形状を有する、交換可能な異なる二組の回転板の斜視図
【図１１】人の髪をカールするために図１〜９に示すデバイスを使用する一方法を示す斜視図
【図１２】本発明に係るヘアスタイリングデバイスの別の実施形態の斜視図
【図１３】本発明に係るヘアスタイリングデバイスの別の実施形態の斜視図
【図１４】内部機構を示すためにデバイスの一部が取り外された、図１３に示す実施形態の別の斜視図
【図１５】押された位置での、手動で駆動可能な駆動レバーを示す、図１３〜１４に示す実施形態の斜視図
【図１６】本発明に係るヘアスタイリングデバイスの別の実施形態の斜視図
【図１７】内部機構を示すためにデバイスの一部が取り外された、図１６に示す実施形態の別の斜視図
【図１７Ａ】内部機構を示すためにデバイスの一部が取り外された、図１６に示す実施形態の別の斜視図
【図１８】押された位置での、手動で駆動可能な駆動レバーを示す、図１６〜１７に示す実施形態の斜視図
【図１９】本発明に係るヘアスタイリングデバイスの別の実施形態の斜視図
【図２０】内部機構を示すためにデバイスの一部が取り外された、図１９に示す実施形態の別の斜視図
【図２１】押された位置での、手動で駆動可能な駆動レバーを示す、図１９〜２０に示す実施形態の斜視図
【図２２】本発明に係るヘアスタイリングデバイスの別の実施形態の斜視図
【図２３】内部機構を示すためにデバイスの一部が取り外された、図２２に示す実施形態の別の斜視図
【図２４】押された位置での、手動で駆動可能な駆動レバーを示す、図２２〜２３に示す実施形態の斜視図
【図２５】本発明に係るヘアスタイリングデバイスの別の実施形態の斜視図
【図２６】本発明に係るヘアスタイリングデバイスの別の実施形態の斜視図
【００１３】
対応する参照番号は、図面中で対応する部分を示す。
【発明を実施するための形態】
【００１４】
（詳細な説明）
ここで、図面、最初に図１〜９を参照して、ヘアスタイリングデバイスの一実施形態は、概ね１０１と指定される。デバイス１０１は、従来のヘアブラシとほぼ同じ方法で髪をブラシするために使用され得る。一方、デバイス１０１は、以下でより詳しく説明する方法で、人の髪をカールするためにも使用され得る。
【００１５】
デバイス１０１は、本体１０３と、本体から延びるハンドル１０５と、を有する。本体１０３は、そこに固定される、１以上のヘアスタイリング部材１０７を有する。ハンドル１０５は、人がその人の頭又は別の人の頭の髪に対して本体１０３及びヘアスタイリング部材１０７を動かすことができるように、大きさ及び形状が人の手に適合して形成される。本体１０３及びハンドル１０５は、他の材料を代わりに使用することができるが、好ましくは成形用高分子材料で作られる。図７を参照して、デバイス１０１の本体１０３及びハンドル１０５は、それぞれ、図７の向きを参照して名称が付けられる上部の覆い１０９及び下部の覆い１１１で作られる。デバイス１０１がどのように配置されるかによって、下部の覆い１１１が上部の覆い１０９の上方にあってもよく、逆であってもよいと理解される。本体１０３及びハンドル１０５の上部の覆い１０９は、好ましくは、一体に形成される。同様に、本体１０３及びハンドル１０５の下部の覆い１１１も、好ましくは、一体に形成される。上部及び下部の覆い１０９，１１１は、例示の実施形態よりも多い又は少ない要素で作られてもよく、覆いの複数の要素間の境界は変更されてもよいと理解される。また、必要なら、覆いの形状は、図１〜９に示す形状から変更してもよい。上部及び下部の覆い１０９，１１１は、本体１０３及びハンドル１０５を形成するために、（例えば、ねじ１１３又は他の留め具によって）互いに固定するように構成される。本体１０３及びハンドル１０５は、好ましくは、明確にするために、内部空間１１５を有する。
【００１６】
図４及び図５を参照して、本体１０３は、好ましくは、本体１０３の対辺上にある一対の狭い面１２３の間に延びる広い面１２１を有する。狭い面１２３は、広い面１２１の対辺上にある。広い面１２１の幅Ｗ１は、狭い面１２３の幅Ｗ２よりも広い。例示の実施形態において、狭い面１２３の幅はほぼ等しいが、これは必須ではないと理解される。本体１０３の広い面１２１の幅Ｗ１は、好ましくは、少なくとも約２インチである。本体１０３の長さＬ１は、好ましくは、少なくとも約４インチである。本体１０３の長さＬ１を測定するために、長さＬ１は、ハンドル１０５と反対側の本体の端と、その端から最も離れたスタイリング部材１０７の端との間の長さで定義される。図１に示すように、本体１０３の広い面１２１は、好ましくは、概ね平坦である。
【００１７】
複数のヘアスタイリング部材１０７は、本体の広い面１２１に設けられる。図１〜９に示す実施形態では、全てのスタイリング部材１０７は、本体１０３の広い面１２１にある。いくつかのヘアスタイリング部材１０７は、好ましくは、本体１０３に取り付けられる、固定されたスタイリング部材１２５である。例えば、固定されたスタイリング部材１２５のいくつか又は全てが、好ましくは、本体１０３の広い面１２１に取り付けられる。固定されたヘアスタイリング部材１２５を本体１０３に取り付けるための方法は多様である。例えば、図７を参照して、固定されたヘアスタイリング部材１２５のいくつか又は全ては、好ましくは、複数の固定されたヘアスタイリング部材を支持する基部１２７に設けられる。例示の実施形態において、いくつかの基部１２７があり、それぞれが、少なくとも２つの固定されたヘアスタイリング部材を動かす。基部１２７は、固定されたヘアスタイリング部材１２５が下部の覆い１１１の開口１２９を通って延びるように、本体１０３の内側に配置される。そのため、固定されたヘアスタイリング部材１２５の先端は、ヘアスタイリングデバイス１０１の基部１０３から離れて延びる。基部１２７は、上部及び下部の覆い１０９，１１１によって、ヘアスタイリングデバイス１０１の内部空間１１５の内側に設けられ、それによって、基部１０３の上に固定されたヘアスタイリング部材を保持する。ヘアスタイリングデバイスの設計及び／又は製造分野の当業者は、固定されたスタイリング部材をヘアスタイリングデバイスの本体に取り付けるための他の選択肢を熟知しており、そのいずれも、例示の実施形態の配置の代わりに使用されてもよい。
【００１８】
少なくともいくつかのヘアスタイリング部材１０７は、本体に対して移動させるために、本体１０３に設けられるヘアスタイリング部材１３５を移動させることができる。例えば、移動可能なヘアスタイリング部材１３５は、好ましくは、本体１０３に対して回転可能である。図１，３，５，７を参照して、複数の回転板１３７（大まかに、回転可能な基部）は、回転軸１３９周りの、本体に対する回転板の回転のために、本体１０３に設けられる。例示の実施形態において、回転可能な基部１３７は回転板の形式であるが、必要なら、回転可能な基部は、他の形状及び構成（例えば、ドーム形状又は半球形状）を有してもよいと理解される。回転板１３７は、好ましくは、狭い面１２３の間における本体１０３の広い面１２１に設けられる。図５を参照して、回転板１３７は、好ましくは、本体１０３の縦軸１４３に概ね沿って延びる直線状に配置される。例えば、回転板１３７は、好ましくは、中央の縦軸１４３の列に設けられる。さらに、例示の実施形態では、本体１０３の中央の縦軸１４３は、（同様に１４３が付けられた、）ハンドル１０５の中央の縦軸と一直線になり、回転板１３７は、また、ハンドルの縦軸１４３に沿って延びる直線状に配置される。回転板１３７は、好ましくは、互いに略平行である回転軸１３９を有するように、本体１０３に設けられる。例示の実施形態では、少なくとも１つの回転板１３７（例えば、全ての回転板）の回転軸１３９は、ハンドル１０５が本体１０３から延びる方向に概ね直交する。回転軸１３９は、好ましくは、本体１０３及びハンドル１０５の縦軸１４３に概ね直交する。
【００１９】
移動可能なヘアスタイリング部材１３５は、回転可能なヘアスタイリング部材が回転板と共に動くように、回転板１３７に設けられる。回転板１３７は、好ましくは、回転板の一部が本体１０３の内側に配置されるように、下部の覆い１１１の開口１４５に入れられる。また、回転板１３７は、本体１０３の外側に配置されるか、又は少なくとも本体の外側から利用可能な、露出した表面１４９を含む。回転板１３７の露出した表面１４９は、本体１０３から概ね離れる方向に向かう。移動可能なヘアスタイリング部材１３５は、好ましくは、回転板１３７の露出した表面１４９に固定される。移動可能なスタイリング部材１３５は、本体１０３から離れて回転板１３７から延びる。
【００２０】
少なくともいくつかの移動可能なスタイリング部材１３５は、それらを動かす回転板１３７の回転軸１４３からオフセットされる。例えば、図１〜９の例示の実施形態では、それぞれの移動可能なスタイリング部材１３５が、それぞれの回転板１３７の回転軸１４３からオフセットされる。図５に示すように、移動可能なスタイリング部材１３５のいくつか又は全ては、径方向外側に向かって、それぞれの回転板１３７の外周に至るまで延びる。オフセットされた移動可能なスタイリング部材１３５は、回転板１３７がオフセットされた位置に起因して回転するとき、相対的に広い円において動くように配置される。回転板１３７は、好ましくは、相対的に大きな直径Ｄ１（例えば、少なくとも約０．７５インチ）を有する。
【００２１】
図４を参照して、移動可能なスタイリング部材１３５は、好ましくは、固定されたスタイリング部材１２５とほぼ同じ長さで本体１０３から延びる。図４に示すように、全てのヘアスタイリング部材の先端は、好ましくは、同一平面Ｐ上に位置する。代替の方法で、全てのヘアスタイリング部材の先端が、円柱状又は他の滑らかな曲面上に位置してもよい。ヘアスタイリングデバイス１０１が、従来のブラシと同じ方法で髪をブラシするために使用されるとき、固定されたヘアスタイリング部材１２５及び移動可能なヘアスタイリング部材１３５は共に、髪及び／又は頭皮と接触するように配置され、デバイス１０１が頭皮に接触するとき、ヘアスタイリング部材が他よりも著しく長く先端が同一平面又は滑らかな曲面上に位置しない場合には生じるかもしれないが、圧力がいくつかのヘアスタイリング部材１２５，１３５にだけ集中する傾向はない。
【００２２】
移動可能なスタイリング部材１３５の形状は、当該発明に係る広い範囲内で変更してもよい。図１〜９に示す実施形態では、少なくともいくつか（例えば、全て）の移動可能なスタイリング部材がパドル形状（ｐａａｄｄｌｅ−ｓｈａｐｅｄ）の構成を有する。それぞれのパドル形状のスタイリング部材１３５は、概ね回転方向に面する広い面１５１と、回転方向に対して概ね径方向に面する狭い面１５３と、を有する。本実施形態において、移動可能なヘアスタイリング部材１３５は、好ましくは、互いに略平行である。一方、移動可能なスタイリング部材は、必要なら基部から離れて延びるにつれて互いに向かい合う角度、又は遠ざかる角度を向いていてもよいと理解される。また、本実施形態では、それぞれの移動可能なスタイリング部材１３５は、それぞれの他の移動可能なヘアスタイリング部材と間隔が空けられている。これは、スタイリング部材の１つ以上の束が互いに隣接して設けられる、”タフト（ｔｕｆｔ）”形式のヘアスタイリング部材と対称的である。一方、必要なら、移動可能なスタイリング部材は、１つ以上のタフトを含んでもよいと理解される。
【００２３】
デバイス１０１は、例えば、回転板１３７の回転を駆動することによって、移動可能なスタイリング部材１３５の動きを駆動するための駆動システム１６１を含む。例えば、駆動システム１６１は、必要なときに回転板１３７及びその上の移動可能なスタイリング部材１３５を回転させるために、使用者によって選択的に駆動可能であってもよい。また、駆動システム１６１は、好ましくは、必要なときに、回転板１３７及びその上の移動可能なスタイリング部材１３５を、本体１０３に対して固定して保持するように構成される。
【００２４】
図７〜９を参照して、駆動システム１６１は、好ましくは、モータが本体１０３に対して回転板を回転させることができるように、回転板１３７に接続されるモータ１６３（例えば電気モータ）を含む。例示の実施形態では、モータ１６３は、一組の歯車１７１によって、回転板１３７に接続される。歯車は、モータ１６３の出力シャフト１７５に設けられる駆動スプロケット１７３を含み、出力シャフト及び駆動スプロケットが協働して回転する。駆動スプロケット１７３は、変速歯車１７７と噛み合い、変速歯車１７７は、最初の、一組の回転板の歯車１７９と噛み合う。回転板１３７は回転板の歯車１７９に設けられ、回転板の歯車と共に（例えば噛み合って）回転する。例示の実施形態では、変速歯車１７７は、駆動スプロケット１７３及びモータ１６３の出力シャフト１７５の角速度よりも速い角速度で、最初の回転板の歯車１７９を回転させるように構成される。すなわち、変速歯車１７７は、モータから回転板１３７へと力が伝達されるにつれて速度を増加させるように構成される。一方、変速歯車は、必要なら、モータに対して回転板の歯車の速度を遅くするように構成されてもよい。
【００２５】
遊び歯車１８１はそれぞれの回転板の歯車１７９の間に配置され、隣接した、回転板の歯車と噛み合う。それによって、歯車１７１は、それぞれの回転板を同じ方向に回転させるように構成される。歯車１７１及び駆動システム１６１は、好ましくは、概ね同じ角速度でそれぞれの回転板１３７を回転させるように構成される。例えば、例示の実施形態では、回転板の歯車が全てほぼ同じ速度で回転するように、回転板の歯車１７９は全て概ね等しい大きさであり、遊び歯車１８１もまた全て概ね等しい大きさである。
【００２６】
回転板１３７が回転板の歯車１７９に接続される方法は多様である。例示の実施形態では、回転板１３７は、回転板の歯車１７７に取り外し可能に固定される。例えば、図７〜９を参照して、それぞれの回転板の歯車１７７は、回転軸１３９に沿って延びるスピンドル１８５（図８，９）を有する。スピンドル１８５は、回転板１３７の基部に形成されたソケット１８７（図７）に入れられる大きさ及び形状である。スピンドルがソケット内にあるとき、回転板１３７がスピンドル１８５及び回転板の歯車１７９の回転を固定するように、スピンドル１８５及びソケット１８７は、それぞれ、対応する非円形の断面形状を有する。スピンドル１８５及びソケット１８７は、好ましくは、髪をカールするために使用するとき、回転板をデバイス１０１に保持するのに十分強く、必要なとき、使用者が回転板１３７をスピンドル１８５から抜くのに十分弱い摩擦嵌合（ｆｒｉｃｔｉｏｎ  ｆｉｔ）を、スピンドルとソケットとの間にもたらす寸法である。これにより、１つ以上の回転板１３７を異なる回転板に交換するのが容易になる。
【００２７】
図１０は、デバイス１０１で交換可能に使用され得る、２つの異なる組の回転板１３７，１３７’を示す。第１の組の回転板１３７は、図１〜９で示す回転板と同じである。第２の組の回転板１３７’は、異なる形状の移動可能なヘアスタイリング部材１３５’を有する点を除いて、第１の組の回転板１３７と概ね同じである。パドル形状のスタイリング部材１３５の代わりに、第２の組の回転板１３７’上の移動可能なスタイリング部材１３５’は、略円柱状である。それぞれの略円柱状のスタイリング部材１３５’は互いに間隔が空けられている。それぞれの回転板１３７’上のスタイリング部材１３５’の１つは、回転軸１３９上に位置する。他のスタイリング部材１３５’は回転軸１３９からオフセットされる。スタイリング部材１３７’は、全て互いに略平行であり、格子状（例えば、３×３の格子）に配置される。使用者が、異なる種類の移動可能なスタイリング部材をデバイスに使用したいときはいつでも、回転板をデバイスから取り外し、異なる組の回転板に置き換えることができる。図１０に示す２種類の回転板１３７，１３７’のみであるが、移動可能なヘアスタイリング部材の形状に関して、数多くの考えられる変更があり、考えられるいかなる必要な形状において異なる組の回転板であってもよいと理解される。
【００２８】
デバイス１０１の外側の部分で利用できるスイッチ１６５は、モータ１６３の駆動を制御し、使用者は選択的に駆動システム１６１の駆動と停止を行うことができる。スイッチ１６５は、モータ１６３を電源（例えば、例示の実施形態における内部の電池１６７）に対して、選択的に接続と切断を行うのに適したいかなるスイッチであってもよい。
【００２９】
例えば、スイッチ１６５は、好ましくは、スイッチが使用者によって押されたとき、モータ１６３を稼働させ、駆動システム１６１を駆動し、使用者がスイッチを離すとすぐに、モータの稼働を止め、駆動システムを切るように構成される。このため、使用者は、一度だけ押して、駆動システムが駆動している時間を決めて押し続けて、駆動システム１６１の駆動と停止を行える。デバイス１０１を使用するためのいくつかの方法において、駆動システム１６１の操作を続けるために、使用者によって駆動の入力を必要とする（例えば、使用者がスイッチ１６５を押し続ける必要がある）ことが好ましい。例えば、使用者が、デバイスを使用している間に注意をそらして、スイッチ１６５を押し続けることができないとき、デバイス１０１は、自動的に、回転板１３７の回転を止め、それによって、使用者が注意をそらしている間に、駆動システムの駆動を続けることによる、髪が絡まるリスクを最小限にする。同様に、使用者がモータ１６３を切ろうとしたが、スイッチ１６５を押そうとしたときの身体的なミス（例えば、不器用）によって、切るのが遅れる場合に起こり得る、髪が絡むような問題のリスクを減らす。
【００３０】
デバイス１０１は、固定されたスタイリング部材のモードと、移動する（例えば、回転する）スタイリング部材のモードの２つのモードのいずれかで使用され得る。固定されたスタイリング部材のモードで使用されるとき、デバイス１０１は、従来のヘアブラシと概ね同じ方法で動作する。固定されたスタイリング部材１２５及び移動可能なスタイリング部材１３５が、（例えば、髪を解く、ヘアケア製品を髪に配分する、髪をまっすぐにする、髪をカールする等）髪と関わって髪に対して動くように、使用者は、髪に対してデバイス１０１のハンドル１０５を移動させる。
【００３１】
移動するヘアスタイリング部材のモードでデバイス１０１を使用するために、使用者は、（例えば、スイッチ１６５を押すことによって）駆動システム１６１を駆動し、移動するスタイリング部材１３５の動きを駆動する。例えば、図１１を参照して、使用者は、好ましくは、少なくともいくつかのヘアスタイリング部材が前記人の髪と接触する間に、駆動システム１６１を駆動し、本体１０３に対して回転板１３７の回転を駆動し、それによって、回転板及びその上の移動可能なヘアスタイリング部材１３５を回転させる。この方法を使用することで、様々なスタイリングの効果を得ることができる。例えば、回転する回転板１３７及び移動可能なヘアスタイリング部材は、好ましくは、人の頭の上の一組の髪１９１から、ねじられた髪のストランド１９３を作る。図１１において、人の頭から間隔を空けた位置（例えば、髪のストランドの端の近く）で、パドル形状の移動可能なヘアスタイリング部材１３５が髪のストランド１９３に接触して配置される。パドル形状のスタイリング部材１３５上の広い面１５１は、略円形状に髪を動かし、それによって、髪のストランドをねじり、髪においてデバイスに接触する部分と人の頭との間において延びて概ねらせん状に巻く。ストランド１９１に施されるらせん状の湾曲は、好ましくは、ストランドのらせん状のコイルを形成した回転板１３７の回転軸１３９に略平行な中心軸を有する。他の回転板を使用して他のストランドをねじっている間に、第１の回転板を使用して第１のストランドをねじることができる。デバイス１０１は３つの回転板１３７を有するので、同時に、３つの分離した髪１９１のストランド１９３をねじり、らせん状のコイルにすることもできる。しかし、同時に複数のらせん状のコイルを作ることは必須ではない。
【００３２】
当該方法は、ストランドを継続してらせん状に湾曲させるために選択された時間で、髪１９１をねじられたストランドで保持することを選択的に含む。例えば、コイル形状に保持されてから、デバイス１０１が髪から取り外された後、髪がらせん形状を保持するのに役立つように、水が乾燥し、又はヘアスタイリング製品が乾燥及び／又は固定されて、コイル形状に保持される間に、ストランド１９３に、水を噴霧するか、ヘアスプレー、ムース、ジェル、又は他のヘアスタイリング製品を付けてもよい。
【００３３】
前記工程は、髪１９１の追加のストランド１９３をらせん状に湾曲させたいと思う限り繰り返してもよい。
【００３４】
これは、髪をカールするためのデバイスの使用方法に関する、単なる一例である。必要なら、移動可能なヘアスタイリング部材は、異なる方法で使用されてもよいと理解される。
【００３５】
図１２は、本発明に係るヘアスタイリングデバイス２０１の別の実施形態を示す。当該デバイス２０１が、固定されたヘアスタイリング部材を１つも有しないことを除いて、当該デバイス２０１は、前述した、図１〜９に示すデバイス１０１と概ね同じである。代わりに、全てのヘアスタイリング部材２０７が、回転板２３７上に設けられる移動可能なヘアスタイリング部材２３５である。デバイス２０１は、前述したデバイス１０１と同じ方法を行うために、使用されてもよい。
【００３６】
概ね３０１で指定されたヘアスタイリングデバイスの別の実施形態は、図１３〜１５に示される。前述した駆動システム１６１を、手動で駆動可能な駆動システム３６１に置き換えたことを除いて、当該デバイス３０１は、前述した、図１〜９に示すデバイス１０１と概ね同じである。当該デバイス３０１はモータがない。駆動システム３６１は、歯車３７１を有し、歯車３７１は、前述した回転板の歯車１７９及び遊び歯車１８１に対応する、回転板の歯車３７９及び遊び歯車３８１を含む。一方、デバイス３０１は、モータの代わりに手動のアクチュエータ３７５を有し、アクチュエータ３７５は、例示の実施形態において、レバーの一端がハンドル３０５の外側に延びるような、旋回して動くために設けられたレバーの形式である。駆動ソケットの一部に対応する一組の歯３７３は、レバー３７５の反対側の端に形成される。歯３７３は、変速歯車３７７と噛み合い、変速歯車３７７は、補助的な遊び歯車３９３と噛み合い、遊び歯車３９３は、回転板の歯車３７９の１つと噛み合う。
【００３７】
レバー３７５は、レバーがハンドル３０５から遠くに突き出た第１の位置（図１４）と、レバーがハンドルからあまり突き出ていない第２の位置（図１５）と、の間を、使用者によって移動させることができる。付勢部材３９５（例えば、ばね）が設けられ、レバー３７５を第１の位置へ付勢するために配置される。レバー３７５が設けられ、第１の位置と第２の位置との間のレバーの動きが回転板３３７及びその上の移動可能なスタイリング部材３３５の動きを歯車によって駆動するように、歯車３７１に対してレバー３７５が配置される。前述した駆動システム１６１にもあったように、歯車３７１は、同じ方向でほぼ同じ速度で、それぞれの回転板３３７を駆動するように構成される。
【００３８】
デバイス３０１は、図１〜９に示すデバイス１０１に関して前述した方法と概ね同じ方法で使用され得る。一方、移動可能なスタイリング部材を動かすために、使用者は、アクチュエータを第１の位置から第２の位置へと動かすように、手動でアクチュエータ３７５（例えば、レバー）を操作することによって、駆動システム３６１を手動で駆動する。そして、使用者は、アクチュエータ３７５を離す前に髪からデバイスを取り去る。一旦、使用者がアクチュエータ３７５を離すと、付勢部材３９５は、自動的にアクチュエータを動かして第１の位置に戻す。この工程は希望する回数を繰り返してもよい。
【００３９】
概ね４０１で指定されたヘアスタイリングデバイスの別の実施形態は、図１６〜１８に示される。本体４０３が略楕円形状を有し、本体から延びる細長いハンドルを含まないことを除いて、当該デバイス４０１は、前述した、図１３〜１５に示すデバイス３０１と同じである。どちらかといえば、本体４０３自体は、デバイス４０１を操作するために、使用者によってつかまれるように意図される。また、把持面４９７は、本体を把持するのに役立つために、本体４０３に設けられる。図示のように、把持面４９７は、本体４０３において平行な連続の溝である。しかし、把持面は、隆起した面、突起、高摩擦の材料を、制限無く含んだ、異なる形式を有してもよいと理解される。図示のように、本体４０３は、互いに接続することができる２つの部分で形成されてもよい。内部構造を示すために、図１４及び図１５において、本体の半分が取り外されている。
【００４０】
さらに、複数の移動可能なスタイリング部材４３５を含む回転板４３７が１つだけ、本体４０３に設けられる。デバイス３０１と同様に、駆動システム４６１は歯車４７１を有し、歯車４７１は、回転板の歯車に対応する、１つの回転板の歯車４７９及び１つの遊び歯車４８１を含む。例示の実施形態において、手動のアクチュエータ４７５は、レバーの一端が本体４０３の外側に延びるような、旋回して動くために設けられたレバーの形式である。駆動ソケットの一部に対応する一組の歯４７３は、レバー４７５の反対側の端に形成される。歯４７３は、変速歯車４７７と噛み合い、変速歯車４７７は、遊び歯車４８１と噛み合い、遊び歯車４８１は、回転板の歯車４７９と噛み合う。回転板４３７は、回転板と共に結合して回転するために、回転板の歯車４７９に接続される。例示の実施形態では、それぞれの移動可能なスタイリング部材４３５は、当該部材の狭い面４５３で形成される一対の凹部４５７を有するパドル形状を備える。凹部４５７は、ヘアスタイリング部材４３５の径方向外側に面し、くしの歯と同様に、使用中に多くの髪のストランドを受け入れて保持する。しかし、移動可能なスタイリング部材４３５の形状は、当該発明に係る広い範囲内で変更してもよい。本体４０３の広い面の幅が好ましくは少なくとも約２インチで、本体４０３の長さが好ましくは少なくとも約４インチであるように、本体４０３の全体の大きさは本体１０３と同じである。
【００４１】
デバイス３０１に関して前述したように、レバー４７５は、第１の位置（図１７及び図１７Ａ）と第２の位置（図１８）との間を、使用者によって移動させることができる。付勢部材４９５（例えば、ばね）が設けられ、レバー４７５を第１の位置（図１７Ａ）へ付勢するために、本体４０３に配置される。レバー４７５が設けられ、第１の位置と第２の位置との間のレバーの動きが回転板４３７及びその上の移動可能なスタイリング部材４３５の動きを歯車によって駆動するように、歯車４７１に対して配置される。
【００４２】
移動可能なスタイリング部材を動かすために、使用者は、アクチュエータを第１の位置から第２の位置へと動かすように、手動でアクチュエータ４７５（例えば、レバー）を操作することによって、駆動システム４６１を手動で駆動する。歯車４８１及び４７９に対する歯車４７７の大きさは、歯車４７７よりも大きな回転角によって、回転板４３７及びそこに設けられるヘアスタイリング部材に対して、より速い回転をもたらす。そして、使用者は、アクチュエータ４７５を離す前に髪からデバイスを取り去る。一旦、使用者がアクチュエータ４７５を離すと、付勢部材４９５は自動的にアクチュエータを動かして第１の位置に戻す。この工程は希望する回数を繰り返してもよい。
【００４３】
概ね５０１で指定されたヘアスタイリングデバイスの別の実施形態は、図１９〜２１に示される。アクチュエータ５７５が本体５０３の側面の押圧可能なボタンを備えることを除いて、当該デバイス５０１は、前述した、図１６〜１８に示すデバイス４０１と概ね同じである。アクチュエータ５７５は、ヘアスタイリング部材５３５の回転を駆動するために、直線に沿って前後に動くことができる。図１７及び図１８において取り外された本体の一部を特に含む本体５０３は、直線の往復運動する経路に沿って、アクチュエータ５７５の移動を案内するための構造を含む。ばね５９５は、アクチュエータ５７５において、ボタンを形成する部分の反対側の端に取り付けられる。ばね５９５の他端は、図２０及び図２１で取り外された本体５０３の一部における支柱（図示せず）に取り付けられる。支柱は、ばね５９５がアクチュエータ５７５を動かすように作用するのに逆らって固定された点を提供する。さらに、それぞれの移動可能なスタイリング部材５３５は、概ね三角形の断面を有するパドル形状である。凹部５５７は、スタイリング部材の側面５５３に形成される。一実施形態では、前実施形態のヘアスタイリングデバイス４０１は、当該発明に係る範囲から離れることなく、当該実施形態のデバイス５０１で開示されたアクチュエータ５７５を含む、アクチュエータの部品を使用してもよい。
【００４４】
概ね６０１で指定されたヘアスタイリングデバイスの別の実施形態は、図２２〜２４に示される。アクチュエータ６７５が本体６０３の底部の押圧可能なボタンを備えることを除いて、当該デバイス６０１は、前述した、図１９〜２１に示すデバイス５０１と概ね同じである。さらに、アクチュエータ６７５は、図２２及び図２３に示すように押されていないとき、本体６０３の表面と概ね同一平面である。図２３及び図２４で分かるように、本体６０３は、アクチュエータ６７５の動きを案内する案内壁を含む。図２３及び図２４から取り外された本体６０３の一部においても、同様の案内壁（図示せず）がある。本実施形態において、２つのばね６９５が用いられる。ばね６９５は、アクチュエータ６７５のそれぞれの脚の端に取り付けられる。ばね６９５の他端は、図２３及び図２４で取り外された本体６０３の一部における支柱（図示せず）に取り付けられる。脚の１つには、駆動システム６６１と噛み合う歯６７３が形成される。さらに、それぞれの移動可能なスタイリング部材６３５はパドル形状であって、概ね三角形の断面を有する。ヘアスタイリング部材６３５は凹部を有しないが、当該凹部が使用されてもよいと理解される。
【００４５】
概ね７０１で指定されたヘアスタイリングデバイスの別の実施形態は、図２５に示される。スタイリング部材７３５が回転板７３７に設けられることを除いて、当該デバイス７０１は、前述した、図１９〜２１に示すデバイス５０１と概ね同じである。スタイリング部材７３５は、三角柱の形状を有する。スタイリング部材７３５の側面７５９はくぼんでいる。凹部７５７は、スタイリング部材７３５の端７５３に形成される。凹部７５７は、ヘアスタイリング部材から径方向外側に開く。凹部７５７は、グループで配置される。異なるグループの凹部は、回転可能な基部７３７の回転軸について異なる径方向に開く。
【００４６】
概ね８０１で指定されたヘアスタイリングデバイスの別の実施形態は、図２６に示される。スタイリング部材８３５が略六角柱の形状を有することを除いて、当該デバイス８０１は、前述した、図１９〜２１に示すデバイス５０１と概ね同じである。凹部８５７は、スタイリング部材８３５の側面８５３に形成される。
【００４７】
前述を考慮して、以下のことが発展していることが理解される。
【００４８】
Ａ１．ハンドヘルドのヘアスタイリングデバイスであって、ヘアスタイリングデバイスは、；広い面を、広い面の対辺上にある一対の狭い面の間に有し、広い面は、狭い面よりも広い幅を有する本体；本体に対して回転軸周りに回転するために、本体の狭い面の間に設けられ、それぞれ、本体から概ね離れる方向に向かって露出した表面を有する、複数の回転可能な基部；それぞれの回転可能な基部と共に、本体に対して回転するために、それぞれの回転可能な基部の露出した表面に設けられ、本体から概ね離れて延びる、複数のヘアスタイリング部材；及び、本体から、少なくとも１つの回転可能な基部の回転軸と概ね直交する方向に延びるハンドルを備える。
【００４９】
Ａ２．Ａ１に記載のハンドヘルドのヘアスタイリングデバイスは、本体に対して回転可能な基部の回転を駆動するための、選択的に駆動可能な駆動システムをさらに備える。
【００５０】
Ａ３．Ａ２に記載のハンドヘルドのヘアスタイリングデバイスであって、選択的に駆動可能な駆動システムは、選択的に駆動可能な駆動システムが駆動していないとき、本体に対して固定された位置で回転可能な基部を保持するように構成される。
【００５１】
Ａ４．Ａ２に記載のハンドヘルドのヘアスタイリングデバイスであって、選択的に駆動可能な駆動システムは、一組の歯車と、使用者が手動で操作することによって回転可能な基部の回転を駆動するように、歯車に接続される手動のアクチュエータと、を含む。
【００５２】
Ａ５．Ａ２に記載のハンドヘルドのヘアスタイリングデバイスであって、選択的に駆動可能な駆動システムは、モータが本体に対して回転可能な基部を回転させることができるように、回転可能な基部に接続される電気モータと、電気モータの駆動と停止を選択的に行うように構成されるスイッチと、を備える。
【００５３】
Ａ６．Ａ１に記載のハンドヘルドのヘアスタイリングデバイスは、本体の広い面に取り付けられる複数のヘアスタイリング部材をさらに備える。
【００５４】
Ａ７．Ａ１に記載のハンドヘルドのヘアスタイリングデバイスであって、回転可能な基部に設けけられた、少なくともいくつかのヘアスタイリング部材は、パドル形状を有する。
【００５５】
Ａ８．Ａ１に記載のハンドヘルドのヘアスタイリングデバイスであって、回転可能な基部に設けられたそれぞれのヘアスタイリング部材は、それぞれの他のヘアスタイリング部材と間隔が空けられる。
【００５６】
Ａ９．Ａ１に記載のハンドヘルドのヘアスタイリングデバイスであって、全てのヘアスタイリング部材は、回転可能な基部に設けられる。
【００５７】
Ａ１０．Ａ１に記載のハンドヘルドのヘアスタイリングデバイスであって、本体は、縦軸を有し、回転可能な基部は、本体において、本体の縦軸に概ね沿って延びる直線状に設けられる。
【００５８】
Ａ１１．Ａ１に記載のハンドヘルドのヘアスタイリングデバイスであって、回転可能な基部は、互いに略平行な回転軸を有する。
【００５９】
Ａ１２．Ａ１に記載のハンドヘルドのヘアスタイリングデバイスであって、ヘアスタイリング部材は、互いに略平行である。
【００６０】
Ａ１３．Ａ１に記載のハンドヘルドのヘアスタイリングデバイスであって、本体の広い面は、概ね平坦である。
【００６１】
Ａ１４．Ａ１に記載のハンドヘルドのヘアスタイリングデバイスであって、本体の広い面は、少なくとも約２インチの幅を有する。
【００６２】
Ａ１５．Ａ１に記載のハンドヘルドのヘアスタイリングデバイスであって、本体は、少なくとも約３インチの長さを有する。
【００６３】
Ａ１６．Ａ１に記載のハンドヘルドのヘアスタイリングデバイスであって、少なくとも１つの回転可能な基部は、少なくとも約２インチの長さの直径を有する。
【００６４】
Ａ１７．ハンドヘルドのヘアスタイリングデバイスであって、ヘアスタイリングデバイスは、；広い面を、広い面の対辺上にある一対の狭い面の間に有し、広い面は、狭い面よりも広い幅を有する本体；本体に対して回転軸周りに回転するために、本体の狭い面の間に設けられ、それぞれ、本体から概ね離れる方向に向かって露出した表面を有する、複数の回転可能な基部；及び、それぞれの回転可能な基部と共に、本体に対して回転するために、それぞれの回転可能な基部の露出した表面に設けられ、本体から概ね離れて延びる、複数のヘアスタイリング部材、を備え、回転可能な基部に設けられるそれぞれのヘアスタイリング部材は、それぞれの他のヘアスタイリング部材と間隔が空けられる。
【００６５】
Ａ１８．Ａ１７に記載のハンドヘルドのヘアスタイリングデバイスであって、回転可能な基部に設けけられた、少なくともいくつかのヘアスタイリング部材は、パドル形状を有する。
【００６６】
Ａ１９．Ａ１７に記載のハンドヘルドのヘアスタイリングデバイスであって、本体は、縦軸を有し、回転可能な基部は、本体において、本体の縦軸に概ね沿って延びる直線状に設けられる。
【００６７】
Ａ２０．Ａ１７に記載のハンドヘルドのヘアスタイリングデバイスであって、回転可能な基部は、互いに略平行な回転軸を有する。
【００６８】
Ａ２１．Ａ１７に記載のハンドヘルドのヘアスタイリングデバイスであって、本体の広い面は、少なくとも約２インチの幅を有する。
【００６９】
Ａ２２．Ａ１７に記載のハンドヘルドのヘアスタイリングデバイスであって、本体は、少なくとも約３インチの長さを有する。
【００７０】
Ａ２３．Ａ１７に記載のハンドヘルドのヘアスタイリングデバイスであって、少なくとも１つの回転可能な基部は、少なくとも約２インチの長さの直径を有する。
【００７１】
Ａ２４．髪をスタイリングする方法であって、その方法は、；それぞれが、本体に対して回転するために本体に設けられ、上に設けられた複数のヘアスタイリング部材を有する複数の回転可能な基部を、上に有する本体に接続されるハンドルを保持すること；人の髪の中にヘアスタイリング部材を置くためにハンドルを移動させること；及び、少なくともいくつかのヘアスタイリング部材が前記人の髪に接触する間、本体に対して、回転可能な基部の回転を駆動し、それによって回転可能な基部及びその上のヘアスタイリング部材を回転させるために、回転可能な基部に操作可能に接続される駆動システムを選択的に駆動すること、を含む。
【００７２】
Ａ２５．Ａ２４に記載の方法であって、少なくともいくつかのヘアスタイリング部材が前記人の髪に接触する間、回転可能な基部及びその上のヘアスタイリング部材を回転させることは、人の頭の上の髪のまとまりから、ねじられた髪のストランドを作ることを含む。
【００７３】
Ａ２６．Ａ２５に記載の方法は、少なくともいくつかの前述の髪をらせん状に湾曲させるために選択された時間、前述の髪をねじられたストランドで保持することをさらに含む。
【００７４】
Ａ２７．Ａ２４に記載の方法であって、少なくともいくつかのヘアスタイリング部材が前記人の髪に接触する間、回転可能な基部及びその上のヘアスタイリング部材を回転させることは、人の頭の上の少なくともいくつかの髪をらせん状の湾曲にすることを含む。
【００７５】
Ａ２８．Ａ２７に記載の方法であって、髪に施されるらせん状の湾曲は、少なくとも１つの回転可能な基部の回転軸に略平行な中心軸を有する。
【００７６】
Ａ２９．Ａ２４に記載の方法であって、少なくともいくつかのヘアスタイリング部材が前記人の髪に接触する間において、回転可能な基部及びその上のヘアスタイリング部材は、第２の回転可能な基部を使用して、人の頭の上で、第２の組の髪から第２のねじられた髪のストランドを形成している間に、第１の回転可能な基部を使用して、人の頭の上で、第１の組の髪から第１のねじられた髪のストランドを形成することを含む。
【００７７】
本発明の部材又はその好ましい実施形態を記載するとき、「ある」、「１つの」、「その」、及び「前記」の冠詞は１つ以上の部材があることを意味すると意図される。「備える」、「含む」、及び「有する」の用語は、記載された部材以外の追加の部材があってもよいことを含意すると意図される。
【００７８】
上記装置、システム、方法において、本発明の範囲から外れることなく、様々な変更がされるため、上記説明に含まれ、添付図面で示される全ての事項は、例示であって、限定する意味として解釈されるべきではないと意図される。
【図１】
2018202141.tif 000003
【図２】
2018202141.tif 000004
【図３】
2018202141.tif 000005
【図４】
2018202141.tif 000006
【図５】
2018202141.tif 000007
【図６】
2018202141.tif 000008
【図７】
2018202141.tif 000009
【図８】
2018202141.tif 000010
【図９】
2018202141.tif 000011
【図１０】
2018202141.tif 000012
【図１１】
2018202141.tif 000013
【図１２】
2018202141.tif 000014
【図１３】
2018202141.tif 000015
【図１４】
2018202141.tif 000016
【図１５】
2018202141.tif 000017
【図１６】
2018202141.tif 000018
【図１７】
2018202141.tif 000019
【図１７Ａ】
2018202141.tif 000020
【図１８】
2018202141.tif 000021
【図１９】
2018202141.tif 000022
【図２０】
2018202141.tif 000023
【図２１】
2018202141.tif 000024
【図２２】
2018202141.tif 000025
【図２３】
2018202141.tif 000026
【図２４】
2018202141.tif 000027
【図２５】
2018202141.tif 000028
【図２６】
2018202141.tif 000029
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
人の髪をスタイリングする方法であって、
回転可能な基部を有する本体の保持を含み、前記回転可能な基部は、前記本体に対して回転するために前記本体に設けられ、そこに設けられる複数のヘアスタイリング部材を有し、前記本体は、広い面を、前記広い面の対辺上にある一対の狭い面の間に有し、前記回転可能な基部は、前記広い面に設けられ、
前記ヘアスタイリング部材を人の髪の中に置くための前記本体の移動を含み、
前記本体に対して回転軸周りに前記回転可能な基部の回転を駆動するために、操作可能に前記回転可能な基部に接続される、選択的に駆動可能な駆動システムの駆動を含み、それによって、少なくともいくつかの前記ヘアスタイリング部材が人の髪に接触する間、前記回転可能な基部及びその上の前記ヘアスタイリング部材を回転させ、前記回転可能な基部の回転軸は、前記本体の縦軸に概ね直交して延びる、方法。
【請求項２】
前記選択的に駆動可能な駆動システムの駆動は、第１の位置から第２の位置への前記駆動システムのアクチュエータの移動を含む、請求項１に記載の方法。
【請求項３】
前記アクチュエータが前記第２の位置にある間、人の髪の接触からの前記スタイリング部材の取り外しをさらに含む、請求項２に記載の方法。
【請求項４】
一旦、前記アクチュエータを離すと、前記アクチュエータが自動的に前記第２の位置から前記第１の位置に戻るように、前記第１の位置への前記駆動システムの付勢をさらに含む、請求項３に記載の方法。
【外国語明細書】
2018202141.tif 000030
2018202141.tif 000031
2018202141.tif 000032
2018202141.tif 000033
2018202141.tif 000034
2018202141.tif 000035
2018202141.tif 000036
2018202141.tif 000037
2018202141.tif 000038
2018202141.tif 000039
2018202141.tif 000040
2018202141.tif 000041
2018202141.tif 000042
2018202141.tif 000043
2018202141.tif 000044
2018202141.tif 000045
2018202141.tif 000046
2018202141.tif 000047
2018202141.tif 000048
2018202141.tif 000049
2018202141.tif 000050
2018202141.tif 000051
2018202141.tif 000052
2018202141.tif 000053
2018202141.tif 000054
2018202141.tif 000055
2018202141.tif 000056
2018202141.tif 000057
2018202141.tif 000058
2018202141.tif 000059
2018202141.tif 000060
2018202141.tif 000061
2018202141.tif 000062
2018202141.tif 000063
2018202141.tif 000064
2018202141.tif 000065
2018202141.tif 000066
2018202141.tif 000067
2018202141.tif 000068
2018202141.tif 000069
2018202141.tif 000070
2018202141.tif 000071
2018202141.tif 000072
2018202141.tif 000073
2018202141.tif 000074
2018202141.tif 000075
2018202141.tif 000076
2018202141.tif 000077
2018202141.tif 000078
2018202141.tif 000079
2018202141.tif 000080
2018202141.tif 000081
2018202141.tif 000082
2018202141.tif 000083
2018202141.tif 000084
2018202141.tif 000085
2018202141.tif 000086